(57)【要約】【課題】  コーナー部の連結強度が高く、しかも枠材とコーナー部材とを固定しているネジが外部に露出しないカバー枠の提供。【解決手段】  コーナー部材１，１，１，１と、コーナー部材を介して四周枠組みした枠材２，２，２，２とを備え、枠材２は、内周側及び外周側壁３，４と、内周側壁と外周側壁を屋外側で繋ぐ見付け壁５とを有し、躯体側が開放した形状をなしており、外周側壁４に躯体１６との固定部２４を有し、内周側壁３と外周側壁４の内面にコーナー部材の係合部６，７を有し、見付け壁５より屋内側に突片８を有し、コーナー部材１は、枠材２の内周側と外周側の係合部６，７に係合すると共に、屋内側から突片８に挿入したネジ９で枠材２と固定してある。【選択図】      図１
2011247042.tif 000002
【特許請求の範囲】
【請求項１】
コーナー部材と、コーナー部材を介して四周枠組みした枠材とを備え、枠材は、内周側及び外周側壁と、内周側壁と外周側壁を屋外側で繋ぐ見付け壁とを有し、躯体側が開放した形状をなしており、外周側壁に躯体との固定部を有し、内周側壁と外周側壁の内面にコーナー部材の係合部を有し、見付け壁より屋内側に突片を有し、コーナー部材は、枠材の内周側と外周側の係合部に係合すると共に、屋内側から突片に挿入したネジで枠材と固定してあることを特徴とするカバー枠。
【請求項２】
コーナー部材と、コーナー部材を介して四周枠組みした枠材とを備え、枠材は、内周側及び外周側壁と、内周側壁と外周側壁を屋外側で繋ぐ見付け壁とを有し、躯体側が開放した形状をなしており、外周側壁に躯体との固定部を有し、内周側壁と外周側壁の一方の内面にコーナー部材の係合部を屋内外方向に離間して有し、他方の内面に見付け壁より屋内側に離間して突片を有し、コーナー部材は、枠材の係合部に係合すると共に、屋内側から突片に挿入したネジで枠材と固定してあることを特徴とするカバー枠。
【請求項３】
コーナー部材は、枠材の突片にネジで固定される被固定部を突片の屋内側に有すると共に、枠材の見付け壁と突片の間に差込まれる差込部を有し、コーナー部材の被固定部と差込部とで枠材の突片を挟持していることを特徴とする請求項１又は２記載のカバー枠。
【発明の詳細な説明】
【技術分野】
【０００１】
本発明は、窓やドアのリフォームにおいて既設のサッシ枠等の屋外側を隠すために用いられるカバー枠に関する。
【背景技術】
【０００２】
従来より、図１１，１２に示すように、既設サッシ枠９０の内周に新設サッシ枠９１を設置し、既設サッシ枠９０の屋外側を被うようにカバー枠９２を設置し、カバー枠９２と新設サッシ枠９１との隙間をシールする窓のリフォーム工法が知られている。カバー枠９２は、図１３に示すように、枠材９３を樹脂製のコーナー部材９４を介して四方枠組みした構造になっており、枠材９３は長手方向端部が斜め４５°に切断され、コーナー部材９４を枠材の長手方向端部に差込み、外周側からネジ９５を打ち込んで枠材９３とコーナー部材９４とを固定している。
【０００３】
枠材９２は、既設サッシ枠９０を呑み込ませるために、屋内側が開放した略コ字形の断面となっており、コーナー部材９４もその内面に沿うようにコ字形断面に形成しなければならないので、コーナー部の連結強度を確保するのが困難だった。また、枠材９２をコーナー部材９４に固定しているネジ９５がカバー枠外周に露出するため意匠性が悪く、ネジ孔から雨水が浸入する不都合もある。  
【発明の概要】
【発明が解決しようとする課題】
【０００４】
本発明は以上に述べた実情に鑑み、コーナー部の連結強度が高く、しかも枠材とコーナー部材とを固定しているネジが外部に露出しないカバー枠の提供を目的とする。
【課題を解決するための手段】
【０００５】
上記の課題を達成するために請求項１記載の発明によるカバー枠は、コーナー部材と、コーナー部材を介して四周枠組みした枠材とを備え、枠材は、内周側及び外周側壁と、内周側壁と外周側壁を屋外側で繋ぐ見付け壁とを有し、躯体側が開放した形状をなしており、外周側壁に躯体との固定部を有し、内周側壁と外周側壁の内面にコーナー部材の係合部を有し、見付け壁より屋内側に突片を有し、コーナー部材は、枠材の内周側と外周側の係合部に係合すると共に、屋内側から突片に挿入したネジで枠材と固定してあることを特徴とする。
【０００６】
請求項２記載の発明によるカバー枠は、コーナー部材と、コーナー部材を介して四周枠組みした枠材とを備え、枠材は、内周側及び外周側壁と、内周側壁と外周側壁を屋外側で繋ぐ見付け壁とを有し、躯体側が開放した形状をなしており、外周側壁に躯体との固定部を有し、内周側壁と外周側壁の一方の内面にコーナー部材の係合部を屋内外方向に離間して有し、他方の内面に見付け壁より屋内側に離間して突片を有し、コーナー部材は、枠材の係合部に係合すると共に、屋内側から突片に挿入したネジで枠材と固定してあることを特徴とする。
【０００７】
請求項３記載の発明によるカバー枠は、請求項１又は２記載の発明の構成に加え、コーナー部材は、枠材の突片にネジで固定される被固定部を突片の屋内側に有すると共に、枠材の見付け壁と突片の間に差込まれる差込部を有し、コーナー部材の被固定部と差込部とで枠材の突片を挟持していることを特徴とする。
【発明の効果】
【０００８】
請求項１記載の発明によるカバー枠は、枠材の内周側壁と外周側壁の内面にコーナー部材の係合部を有し、見付け壁より屋内側に突片を有し、コーナー部材を枠材の内周側と外周側の係合部に係合すると共に、屋内側から突片に挿入したネジで枠材と固定したことで、枠材とコーナー部材とが互いに離間した３点で固定されるので、躯体側が開放した形状の枠材同士をコーナー部材で強固に連結し、コーナー部の連結強度を高められる。また、枠材とコーナー部材とを固定するネジを、屋内側から枠材の突片に挿入したので、ネジが外部に露出せず意匠性が良好となり、雨水の浸入も防止できる。
【０００９】
請求項２記載の発明によるカバー枠は、枠材の内周側壁と外周側壁の一方の内面にコーナー部材の係合部を屋内外方向に離間して有し、他方の内面に見付け壁より屋内側に離間して突片を有し、コーナー部材を枠材の係合部に係合すると共に、屋内側から突片に挿入したネジで枠材と固定したことで、枠材とコーナー部材とが互いに離間した３点で固定されるので、躯体側が開放した形状の枠材同士をコーナー部材で強固に連結し、コーナー部の連結強度を高められる。また、枠材とコーナー部材とを固定するネジを、屋内側から枠材の突片に挿入したので、ネジが外部に露出せず意匠性が良好となり、雨水の浸入も防止できる。
【００１０】
請求項３記載の発明によるカバー枠は、コーナー部材に枠材の突片にネジで固定される被固定部を突片の屋内側に有すると共に、枠材の見付け壁と突片の間に差込まれる差込部を有し、コーナー部材の被固定部と差込部とで枠材の突片を挟持していることで、コーナー部の連結強度をより一層高められる。
【図面の簡単な説明】
【００１１】
【図１】（ａ）はカバー枠コーナー部の屋外側正面図であり、（ｂ）はＡ−Ａ断面図である。
【図２】カバー枠コーナー部の分解斜視図である。
【図３】本発明のカバー枠を用いる改装サッシの第１実施形態を示す縦断面図である。
【図４】第１実施形態の改装サッシの横断面図である。
【図５】第１実施形態の改装サッシの屋外側正面図である。
【図６】本発明のカバー枠を用いる改装サッシの第２実施形態を示す縦断面図である。
【図７】第２実施形態の改装サッシの横断面図である。
【図８】本発明のカバー枠を用いる改装サッシの第３実施形態を示す縦断面図である。
【図９】第３実施形態の改装サッシの横断面図である。
【図１０】コーナー部材と枠材の他の実施形態を示す断面図である。
【図１１】従来の改装サッシの縦断面図である。
【図１２】従来の改装サッシの横断面図である。
【図１３】（ａ）は従来の改装サッシのカバー枠コーナー部の屋外側正面図であり、（ｂ）はＢ−Ｂ断面図である。
【発明を実施するための形態】
【００１２】
以下、本発明の実施の形態を図面に基づいて説明する。図３〜５は、本発明のカバー枠１２を用いる改装サッシの第１実施形態を示している。この改装サッシは、既存のアルミサッシを樹脂サッシに改装し、断熱性・気密性を向上させるものであり、図３，４に示すように、躯体１３に既に取付けてある既設サッシ枠１４をそのまま残し、既設サッシ枠１４の内周に樹脂製の新設サッシ枠１５を設置し、新設サッシ枠１５の外周屋外側にカバー枠１２を設置し、既設サッシ枠１４を隠している。既設サッシ枠１４は外付けのサッシ枠であり、既設サッシ枠１４の外壁１６から飛び出た部分がカバー枠１２に呑み込ませてある。既設サッシ枠１４の内周と新設サッシ枠１５の外周の間には、発泡ウレタン１７が充填してある。カバー枠１２の内周と新設サッシ枠１５の外周の間には、５ｍｍ程度の隙間１８が四周連続して形成され、該隙間１８にシール材１９が充填してある。カバー枠１２の外周にはシール受け部２０を四周連続して有し、シール受け部２０と外壁１６間にシール材２１を充填してある。新設サッシ枠１５内には、外障子２２ａと内障子２２ｂが引違い開閉自在に設けてある。外障子２２ａと内障子２２ｂは、樹脂製の框で複層ガラスを四周框組みした断熱性の高いものを用いている。
【００１３】
カバー枠１２は、図５に示すように、上下左右４本の枠材２，２，２，２をコーナー部に配置された樹脂製のコーナー部材１，１，１，１を介して連結し、矩形の枠状に形成してある。
枠材２は、アルミ押出形材を用いたものであり、断面形状は４本とも同一である。枠材２は、図３，４に示すように、内周側壁３と外周側壁４と、内周側壁３と外周側壁４を屋外側で繋ぐ見付け壁５とを有し、屋内側が開放した略コ字形断面となっている。内周側壁３の屋内側端部には、屋外側に鉤状に折り返す形でコーナー部材１の係合部６が設けてある。外周側壁４は、屋内側端部に内周側に開口したコ字形の突部２３を有し、その先端部に屋外側に突出する形でコーナー部材１の係合部７が設けてある。内周側の係合部６と外周側の係合部７は、見込み方向の略同一位置に位置している。さらに外周側壁４には、突部２３の外周側に隣接して躯体への固定部２４が屋外側に開放した溝状に設けてあり、この固定部２４を外壁１６に当接し、屋外側から躯体１３にネジ２５を打ち込んでカバー枠１２を躯体１３に固定している。固定部２４には目板２６が嵌め込まれ、ネジ２５を隠してある。さらに枠材２は、見付け壁５より屋内側に離間した位置に、外周側壁４より内周側に突出する突片８を有している。突片８は、図１に示すように、内・外周側壁の係合部６，７から、内・外周側壁３，４の屋内側端部間の寸法Ａと略同じか寸法Ａ以上の間隔Ｂをおいて離間している。特に本実施形態のものは、外周側の係合部７を中心とする半径が前記寸法Ａの円弧上に突片８が位置するようにしている。各枠材２は、長手方向端部が斜め４５°に切断されている。
【００１４】
コーナー部材１は、図１，２に示すように、縦横の枠材２，２の長手方向端部に挿入する挿入部２７，２７を直角に交差して有するとともに、縦横の枠材２，２の端面間に挟み込む挟み部２８とを有し、両挿入部２７，２７の端縁は挟み部２８と平行に斜めに形成され、屋外側から見ると矢はずのような形になっている。
挿入部２７は、図１（ｂ）に示すように、枠材２の内周側壁３と外周側壁４の内面に沿ってのびる横壁部２９，３０と、両横壁部２９，３０を枠材２の突片８の屋内側で繋ぐ縦壁部３１とを有し、屋内側が開放したコ字形断面になっている。内周側の横壁部２９の屋内側端部は、枠材２の内周側壁３に形成された係合部６に係合している。外周側の横壁部３０の屋内側端部には、外周側に突出する形で補強縁部３２が形成され、補強縁部３２が枠材２の外周側の突部２３内に嵌合し且つ係合部７に係合している。縦壁部３１は、外周側の部分３１ａが枠材２の突片８の屋内側面に当接しており、この部分３１ａを屋内側からのネジ９で突片８に固定している。またコーナー部材１は、枠材２の突片８と見付け壁５との間のスペースに差込まれる差込部１１を有しており、縦壁部３１の外周側の部分３１ａと差込部１１とで枠材２の突片８を挟持している。差込部１１は、ネジ９の先端部が当たらないように逃がしてある。さらにコーナー部材１は、縦壁部３１の屋外側に枠材２の見付け壁５の内面中央部に当接する当接部３３ａと、見付け壁５と内周側壁３とのコーナー部内面に当接する当接部３３ｂを有している。コーナー部材１の差込部１１及び当接部３３ａ，３３ｂ間には適宜空間３４が設けてある。
【００１５】
カバー枠１２の組立ては、各枠材２を所定の長さになるように端部を斜めに切断し、図２に示すように、突片８にネジ９用の下孔３５を形成しておき、コーナー部材１は縦壁部３１の外周側の部分３１ａにネジ９の挿通孔３６を形成しておき、縦横の枠材２，２の端部をコーナー部材１の挿入部２７，２７にそれぞれ嵌め込み、枠材２，２の端面をコーナー部材１の挟み部２８に突き当てる。その後、屋内側からコーナー部材１の挿通孔３６に挿通して枠材２，２の突片８にネジ９を捩じ込み、コーナー部材１と枠材２，２とを固定する。上側の枠材２の下面には、図１に示すように、屋内側寄りの位置にスペーサー３７が長手方向に間隔をおいて複数取付けられる。
【００１６】
カバー枠１２は以上のように構成され、図１（ｂ）に示すように、枠材２の内周側壁３の屋内側端部と外周側壁４の屋内側端部に設けた係合部６，７にコーナー部材１が係合し、枠材２の見付け壁５の屋内側に離間して設けた突片８にコーナー部材１を屋内側からのネジ９で固定したことで、枠材２とコーナー部材１とが三角形状に互いに離間した３点で固定されるため、枠材２とコーナー部材１とを強固に固定でき、コーナー部の連結強度が高い。突片８が、内・外周側壁の係合部６，７から、内・外周側壁３，４の屋内側端部間の寸法Ａと略同じか寸法Ａ以上の間隔Ｂをおいて離間していることで、ねじれが生じにくい。特に、係合部６又は７を中心とする半径が前記寸法Ａの円弧状に突片８が位置するようにすると、最もねじれが生じにくい。ネジ９による固定部がカバー枠２内の外周側に位置しており、外壁１６への固定部２４から近いため、コーナー部材１に外力が作用しても、ダイレクトに外壁１６がその外力を負担してくれるので、カバー枠１２の変形を防止できる。また、枠材２内の突片８にコーナー部材１を屋内側からネジ９で固定したので、ネジ９が外部に露出せず意匠性が良く、ネジ孔から雨水が浸入することもない。さらに、コーナー部材１に枠材２の見付け壁５と突片８の間の空間に差込まれる差込部１１を設け、コーナー部材１の縦壁部３１の外周側の部分３１ａと差込部１１とで枠材２の突片８を挟持していることで、コーナー部の連結強度をより一層向上させている。またコーナー部材１は、前記差込部１１に加えて枠材２の見付け壁５の中央部と内周側のコーナー部に当接する当接部３３ａ，３３ｂが設けてあり、差込部１１及び当接部３３ａ，３３ｂ間に空間３４を設けることで、強度を確保しつつ原料費のコストダウンを図っている。さらに、コーナー部材１の挿入部２７，２７の端縁を斜めに形成することで、原料費のさらなるコストダウンを図っている。また、枠材２の外周側の係合部７が外壁１６への固定部２４と隣接して設けてあるので、コーナー部材１への外力をよりダイレクトに外壁１６に伝達することができ、より強固にカバー枠１２を固定することができる。
【００１７】
次に、改装サッシの施工手順を簡単に説明する。まず、新設サッシ枠１５を既設サッシ枠１４の内周に配置し、躯体１３にネジ（図示省略）で固定する。その後、既設サッシ枠１４の内周と新設サッシ枠１５の外周間に屋外側から発泡ウレタン１７を充填する。新設サッシ枠１５の屋内側には額縁３８が取付けられる。次に、枠組みしたカバー枠１２を既設サッシ枠１４を呑み込ませて新設サッシ枠１５の外周に配置する。このとき、図３に示すように、カバー枠１２の上側の枠材２の内周側面に設けたスペーサー３７を介して、カバー枠１２を新設サッシ枠１５の上枠３９上面に載せることで、カバー枠１２内周と新設サッシ枠１５外周間に上下均等に隙間１８を形成でき、その状態でカバー枠１２を左右方向に適宜ずらすことで、カバー枠１２内周と新設サッシ枠１５外周間の左右方向の隙間１８も容易に均等に調節できる。そうしてカバー枠１２を位置決めした後、カバー枠１２外周の固定部２４にネジ２５を打ち込んでカバー枠１２を固定する。その後、カバー枠１２内周と新設サッシ枠１５外周の隙間１８にシール材１９を充填する。さらに、カバー枠１２外周のシール受け部２０と外壁１６間にもシール材２１を充填する。
【００１８】
以上に述べたように、カバー枠１２をスペーサー３７を介して新設サッシ枠１５の上枠３９上面に載せることで、カバー枠１２の内周見込み面と新設サッシ枠１５の外周見込み面間に四周に亘って適切に隙間１８を確保することができ、この隙間１８をシール材１９でコーキングすることで、コーキング目地寸法の意匠と止水性を良好に確保できる。カバー枠１２は、先に述べたようにコーナー部の連結強度が高い強固な枠になっているため、取付け時に歪みや捩れ等の変形が少なく、外壁１６への取付が容易に行える。
【００１９】
図６，７は改装サッシの第２実施形態を示しており、図８，９は改装サッシの第３実施形態を示している。第２実施形態は、既設サッシ枠１４が半外付けの場合であり、第３実施形態は、既設サッシ枠１４が内付けの場合である。新設サッシ枠１５は、第１実施形態と同様に樹脂製であり、新設サッシ枠１５内には障子４０が屋外側に開くように設けてある。
カバー枠１２の枠材２は、内周側壁３に係合部６よりも屋内側にのびる延出部４１を有しており、延出部４１には折り取り自在部４２が見込み方向に間隔をおいて複数設けてあり、既設・新設サッシ枠１４，１５の外壁１６からの出入りに応じて、適当な位置の折り取り自在部４２で延出部４１を折り取り、延出部４１の長さを調節している。なお、第１実施形態のカバー枠１２の枠材２は、延出部４１を係合部６の根元で折り取って形成することができる。コーナー部材１は、第１，２，３実施形態で同一のものを使用している。すなわちカバー枠１２は、既設サッシ枠１４が外付けの場合、半外付けの場合、内付けの場合の何れにも対応することができる。
【００２０】
図１０（ａ）〜（ｆ）は、コーナー部材１と枠材２の他の実施形態を示している。
図１０（ａ）は、枠材２の内周側壁３と外周側壁４の内面の屋内側端部にコーナー部材１の係合部６，７が設けてあり、内周側壁３の内面に見付け壁５の屋内側に離間して突片８が設けてあり、コーナー部材１は枠材２の係合部６，７に係合すると共に、屋内側からのネジ９で突片８に固定してある。
図１０（ｂ）は、枠材２の内周側壁３内面の屋内側と外周側壁４内面の屋外側に係合部６，７が設けてあり、外周側壁４内面の屋内側寄りの位置に突片８が設けてあり、コーナー部材１は枠材２の係合部６，７に係合すると共に、屋内側からのネジ９で突片８に固定してある。コーナー部材１は、突片８にネジ９で固定される被固定部４３を、突片８の屋外側に有している。
図１０（ｃ）は、枠材２の内周側壁３の内面に屋内外方向に離間して係合部６，７を設け、外周側壁４内面の屋内側寄りの位置に突片８を設け、コーナー部材１は枠材２の係合部６，７に係合すると共に、屋内側からのネジ９で突片８に固定してある。
さらに図１０（ｄ）は、コーナー部材１に枠材２の突片８にネジ９で固定される被固定部４３を突片８の屋内側に形成すると共に、見付け壁５と突片８の間に差込まれる差込部４４を設け、被固定部４３と差込部４４とで突片８を挟持している。
図１０（ｅ）は、枠材２の外周側壁４の内面に屋内外方向に離間して係合部６，７を設け、内周側壁３内面の屋内側寄りの位置に突片８を設け、コーナー部材１は枠材２の係合部６，７に係合すると共に、屋内側からのネジ９で突片８に固定してある。
図１０（ｆ）は、枠材２の内周側壁３内面の屋外側と外周側壁４内面の屋内側に係合部６，７が設けてあり、外周側壁４内面の屋内側寄りの位置に突片８が設けてあり、コーナー部材１は枠材２の係合部６，７に係合すると共に、屋内側からのネジ９で突片８に固定してある。
【００２１】
上記の各実施形態のものでも、コーナー部材１が枠材２の三角形状に互いに離間した３箇所（係合部６，７及び突片８）で固定されるため、コーナー部の連結強度を高められる。見付け壁５の屋内側に離間して配置される突片８又は係合部７が、屋内側寄りに配置される係合部６及び突片８から、内・外周側壁３，４の屋内側端部間の寸法Ａと略同じか寸法Ａ以上の間隔Ｂをおいて離間していることで、ねじれが生じにくい。
【００２２】
本発明は、以上に述べた実施形態に限定されない。カバー枠１２の枠材２は、コ字形断面のものに限らず、例えばＵ字形や台形状の断面のものでもよい。カバー枠１２の用途は、既設サッシ枠１４を隠すものに限らず、例えばドアのリフォームにおいて既設ドア枠を隠すのに用いることもできる。
【符号の説明】
【００２３】
１  コーナー部材
２  枠材
３  内周側壁
４  外周側壁
５  見付け壁
６  係合部（内周側）
７  係合部（外周側）
８  突片
９  ネジ
１１  差込部
１２  カバー枠
１６  外壁（躯体）
２４  躯体との固定部
３１ａ  縦壁部の外周側の部分（被固定部）
【図１】
2011247042.tif 000003
【図２】
2011247042.tif 000004
【図３】
2011247042.tif 000005
【図４】
2011247042.tif 000006
【図５】
2011247042.tif 000007
【図６】
2011247042.tif 000008
【図７】
2011247042.tif 000009
【図８】
2011247042.tif 000010
【図９】
2011247042.tif 000011
【図１０】
2011247042.tif 000012
【図１１】
2011247042.tif 000013
【図１２】
2011247042.tif 000014
【図１３】
2011247042.tif 000015